(57)【要約】  １つの態様において、脆い母材に取り付け可能なホルダー１０は、セルフドリリング式のアンカー１２と、留め具４を受容するための開口３０を備えた壁に係合するフランジ２６と、物を保持するためにフランジから延びる少なくとも１つの脚２８とを有する。別の態様において、ホルダーは、後に高いねじ山の部分３２が続く乾式壁１の厚さよりも長いドリル部を備えたセルフドリリング式のアンカーと、壁に係合するフランジと、物を保持するための少なくとも１つの脚とを有する。さらに別に態様において、ホルダーは、後に高いねじ山の部分が続く乾式壁の厚さよりも長いスクリュー状のドリル部１２を備えたセルフドリリング式のアンカーと、回転ドライバーを受容する凹部６４、及びねじの切られた留め具を受容可能であってそのねじ山８に係合可能である一対の開口を備えた乾式壁に係合するフランジとを有する。
2008512626.tif 000002
【特許請求の範囲】
【請求項１】
脆い母材に取り付け可能なホルダーであって、軸線、前記脆い母材に係合する外側のねじ山、近位端、及びドリル端部を備えたセルフドリリング式のアンカーと、前記アンカーの前記近位端に接続されたフランジであって、該フランジが前記外側のねじ山の最大の外径よりも幅広く、当該フランジが前記軸線から離間して留め具を受容可能な開口を備えたフランジと、物を保持するために前記フランジから延びる少なくとも１つの脚とを具備するホルダー。
【請求項２】
前記留め具がねじ山をさらに具備し、前記開口が前記留め具の前記ねじ山と係合する請求項１に記載のホルダー。
【請求項３】
前記開口による前記留め具のねじ山との前記係合が前記留め具のねじ山と係合するため前記開口内径方向に突出する一組のスプラインによって強化される請求項２に記載のホルダー。
【請求項４】
前記スプラインが前記留め具のねじ山の外径よりも小さい前記開口の内径を形成する径方向の伸張部を有する請求項３に記載のホルダー。
【請求項５】
前記フランジに前記軸線から離間した第２の開口をさらに具備し、前記各開口が前記留め具を受容可能であり、前記開口が前記軸線の略反対側にある請求項１に記載のホルダー。
【請求項６】
回転ドライバー用の凹部をさらに具備する請求項１に記載のホルダー。
【請求項７】
前記フランジから延びる第２の脚をさらに具備し、前記一対の脚が前記物を保持するためにＵ字型を形成している請求項１に記載のホルダー。
【請求項８】
前記一対の脚が略共通面内に整列している請求項７に記載のホルダー。
【請求項９】
前記一対の脚が前記軸線に対して略対称的である請求項７に記載のホルダー。
【請求項１０】
前記一対の脚それぞれが前記軸線に対して略平行な遠位部を有する請求項７に記載のホルダー。
【請求項１１】
前記一対の脚それぞれが足部を有する請求項７に記載のホルダー。
【請求項１２】
前記一対の脚それぞれが前記フランジ及び足部間にストッパを具備する請求項１１に記載のホルダー。
【請求項１３】
当該ホルダーが亜鉛から鋳造される請求項１に記載のホルダー。
【請求項１４】
脆い母材に取り付け可能なホルダーであって、軸線、前記脆い母材の厚さよりも長い長さを備えたドリル部、及び前記脆い母材に係合するため高いねじ山の近位部を有するセルフドリリング式のアンカーと、該アンカーの前記近位部に接続されたフランジであって、該フランジが近位部の最大の外径よりも幅広いフランジと、物を保持するために前記フランジから延びる少なくとも１つの脚とを具備するホルダー。
【請求項１５】
乾式壁及び間柱に取り付け可能なホルダーであって、軸線、前記乾式壁の厚さよりも長い長さを備えたスクリュー状のドリル部、及び乾式壁に係合する高いねじ山の近位部を備えたセルフドリリング式のアンカーと、該アンカーの前記近位部に同軸上に接続された壁に接触するフランジであって、該フランジが前記近位部の最大の外径よりも幅広く、当該フランジが回転ドライバーを受容する凹部、及びねじの切られた留め具を受容可能であってそのねじ山に係合可能である一対の開口を備えたフランジと、物を保持するための一対のＵ字型の脚であって、前記一対の脚のそれぞれが前記フランジから足部を備えた遠位部まで延びている一対のＵ字型の脚とを具備するホルダー。
【発明の詳細な説明】
【技術分野】
【０００１】
本発明は、例えば鋤のような工具といった家庭用品又は園芸用品のような物を保持するための乾式壁のような脆い母材に取り付け可能なホルダー、一般的なガレージフックを対象とする。
【背景技術】
【０００２】
一般的に、ガレージフックは、乾式壁そして時々間柱に打ち込むために、真っ直ぐで、尖っており、そして一般的に、スクリュー状にねじ山が切られている、乾式壁を貫通する端部を備えたワイヤ状である。通常、反対の端部は様々なフック形状の１つを形成している。一般に、ガレージフックを打ち込むことは、先端とねじを乾式壁内に打ち込むためにフックの端部を把持すると共に回転させることによってなされる。
【０００３】
ワイヤ状のガレージフックを取り付けようとする者は、口で言うほど簡単ではないということを知っている。しっかりと安定して軸方向に回転させながら押す力が必要とされ、一般的に、ねじ込みがガタガタ、ぐらぐらしてしまう。ユーザーが間柱に正面から打ち込む場合には、先端とねじを間柱内に押し込むために多大な力と技術を必要とし、そのため、ねじが、柔らかくて脆い乾式壁を剥がしてしまい、見苦しく不確かな取り付けとなってしまう。より一般的には、ユーザーは間柱には打たず、取り付けが見た目はよくても、実際はぐらぐらして緩かったりする。さらに、スクリュー状のねじは、乾式壁内だけの引き抜き強さがほんの少ししかなく、取り付け中に、簡単に乾式壁から剥がれてしまう。使用時においては、ガレージフックが、特に繰り返し荷を積んだり、取り外したり、そしてぶつかったりすると、ガレージフックが、乾式壁から緩んでしまい、落下してしまい、又は落ちてしまい、その結果として、荷物、乾式壁又は車のような他のガレージにある所有物を傷つけてしまう。
【０００４】
引き抜き強さを強化するために、例えばＭｃシェリーによる特許文献１を参照すると、いくつかのガレージフックは、大きい乾式壁用のアンカー状のねじに依存している。このようなガレージフックは、時々、事前に穿孔しておかなければならず、しばしばガレージフックが間柱に衝突した場合に駄目になってしまう。乾式壁用のねじを備えたガレージフックは、乾式壁内でスクリュー状のねじ山よりも高い引き抜き強さを備えているが、それらは重量を抑えるため軽い物しか保持することができない。
【０００５】
間柱又は木材に事前に穿孔することは、多くの種類のガレージフックにおいて考慮されているが、いずれの場合にも、付加的な設計、工具、及び時間が必要とされる。例えば、いくつかのガレージフックはそれらを打ち込むために、１つ又は複数のねじを必要とするが、十分注意して下穴が配置され、標準的な大きさにされ、そして事前に穿孔されなければ、ねじを打ち込むために加えた力によって乾式壁が剥がれてしまう。
【０００６】
本願の譲受人であるイリノイツールワーク社は乾式壁用のアンカーを大きく進歩させた。同一出願人による特許文献２にあるように、登録商標Ｅ−Ｚ  ＡＮＣＯＲで販売されているアンカーは、セルフドリリング式の乾式壁用のアンカーである。同一出願人による特許文献３にあるように、登録商標ＳＴＵＤ  ＳＯＬＶＥＲで販売されている別のアンカーは、間柱を貫通することが可能なセルフドリリング式の乾式壁用のアンカーである。しかしながら今まで、乾式壁用のアンカーの技術についての改良がガレージフックに関して反映されていなかった。
【０００７】
【特許文献１】米国特許第６，６７６，３５０号明細書
【特許文献２】米国特許第４，６０１，６２５号明細書
【特許文献３】米国特許出願第６０／５１０，７０８号明細書
【発明の開示】
【発明が解決しようとする課題】
【０００８】
脆い母材に取り付け可能で、引き抜き抵抗及び積載量を増大させるために簡単に取り付け可能なホルダーが必要とされている。
【課題を解決するための手段】
【０００９】
本発明の１つの態様において、ホルダーは、セルフドリリング式のアンカーと、留め具を受容する開口を備えた壁に接触するフランジと、物を保持するための少なくとも１つの脚とを有する。セルフドリリング式のアンカーと留め具との組合せは、脆い母材において増大した引き抜き抵抗及び積載量を提供する。開口は、留め具のねじ山によって乾式壁が剥がれるのを防止するために、留め具のねじ山と係合するためのスプラインを有してもよい。使用の簡便さと性能の改善のため、ホルダーは、より簡単でしっかりとした取り付けのために回転ドライバーを受容する凹部を有してもよい。
【００１０】
本発明の別の態様において、ホルダーは、乾式壁の厚さよりも長く、後に脆い母材と係合する高いねじ山の部分が続くドリル部を備えたセルフドリリング式のアンカーと、壁に接触するフランジと、物を保持するための少なくとも１つの脚とを有する。この構造において、長いドリル部は、高いねじ山が乾式壁と係合し始める前に、乾式壁を全体的に貫通する穴を開けてもよい。好ましくは、高いねじ山の部分が、乾式壁の厚さよりも長いので、高いねじ山が後の乾式壁面と係合し、さらに引き抜き抵抗及び積載量を増大させるようにしてもよい。
【００１１】
本発明のさらに別の態様において、ホルダーは、乾式壁の厚さよりも長く、後に乾式壁と係合する高いねじ山の部分が続くスクリュー状の遠位部分を備えたセルフドリリング式のアンカーと、回転ドライバーを受容する凹部及びスクリューを受容可能であると共にそのねじ部と係合する一対の開口を備えた、壁に接触するフランジと、物を保持するためのＵ字型の一対の脚とを有する。この構造において、間柱に当たった場合には、スクリュー状のドリル部が間柱内に自ら下穴を開けねじ込まれる（セルフドリリングする）。また、この構造において、Ｕ字型の一対の脚は、その脚がフロアと整列されて配置されているとき、鋤状の長い柄の付いた道具を保持するのに有用である。好ましくは、フランジが壁と係合し始めるときに、１８０度程度のわずかな回転が、引き抜き抵抗及び積載量を増大させるため脚上方の中央にある、スクリューと係合可能な開口の１つを用いて水平方向に脚を配置するように、Ｕ字型の一対の脚と一対のフランジの開口とが対称的である。
【発明を実施するための最良の形態】
【００１２】
これら及び他の特徴及び利点は、添付図面を参照しながら、本発明の以下の記載から明らかである。
【００１３】
図１及び４を参照すると、ホルダー１０は、軸線１８、脆い母材１に係合する外側のねじ山２０、近位端２２、及びドリル端部２４を備えたセルフドリリング式のアンカー１２と、近位端２２に接続されたフランジ２６であって、該フランジ２６がねじ山２０の最大の外径よりも幅広く、当該フランジ２６が軸線１８から離間して留め具４を受容可能な少なくとも１つ、好ましくは一対の開口３０を備えたフランジ２６と、物を保持するためにフランジ２６から延びる少なくとも１つ、そして場合によっては２つ又はそれ以上の脚２８とを有する。ホルダー１０と、軸線１８から離間した留め具４は、ホルダー１０の全体的により高い引き抜き抵抗及び積載量を提供する。
【００１４】
ホルダー１０は、脆い母材１に取り付け可能であり、工具、梯子、ほうき、鋤、自転車、又は他の物（図示略）を乾式壁のような脆い母材１に保持し、一般的には吊すために用いられる。ホルダー１０のために、ユーザーは保持したいと思う物を置くのに適した乾式壁のいずれの配置場所も選択できる。ホルダー１０は、居住家屋の内部又は外部の脆い母材に工具又は他の物を保持するために使用可能であり、特に、ガレージ内の壁又は天井から工具又は他の物を吊すのに適しており、従って、ホルダー１０は、ガレージフックとして記載され図示されている。しかしながらホルダー１０は、他の用途にも同様に適用可能である。
【００１５】
脆い母材は、ユナイテッドステイツギプスによって登録商標ＳＨＥＥＴＲＯＣＫで販売されているスタッコ、しっくい、又は石膏ベースの乾式壁１のような構造で用いられるいくつかの材料のうちの１つである。一般的に、乾式壁１は約１．２７ｃｍ又は約１．５９ｃｍの厚さＴを有するが、約０．９５ｃｍのような他の厚さであってもよい。一般的に、乾式壁１のような脆い母材は、例えば、４０．６４ｃｍ毎に均等に離間した例えば２ｘ４の間柱等の木製の支持間柱、又はスチール製の支持間柱といった金属製の支持間柱のような支持間柱２に取り付けられる。間柱２は、より硬く、粉々になる可能性がほとんどないので、乾式壁１よりも引き抜き抵抗が実質的に高い。
【００１６】
図４に示す１つの実施形態において、留め具４はねじ山８を有し、開口３０は、乾式壁１を剥がしてしまう前に留め具４の回転を調整して停止させるために留め具のねじ山８と係合し、留め具のねじ山８と乾式壁１との間の螺合と、より大きな保持力及び引き抜き抵抗とを提供する。調整することによって、留め具４が、乾式壁１を剥がすことなく乾式壁１に噛合するねじを切り、それによって留め具のねじ山８が乾式壁１と係合すると共にホルダー１０及び乾式壁１間に付加的な全体の引き抜き強さを提供する。ホルダー１０は、プラスチック、ナイロン、スチール又はアルミニウム、そして好適な実施形態においては、鋳造した亜鉛といった頑丈な材料から作られる。フランジ２６が乾式壁１よりも頑丈であり、好ましくは、留め具のねじ山８及びフランジ２６間で把持されることによって、留め具４が継続して回転できないので、留め具の頭部６がフランジ２６に当接した後でさえも、ユーザーは、乾式壁１を剥がすことなく留め具４にトルクを加え続けることができる。フランジ２６の厚さは、開口３０の内部の領域が留め具のねじ山８と係合するのに十分適切となるように十分大きいことが好ましい。
【００１７】
留め具のねじ山８及び開口３０間の螺合は、留め具４の外径よりもわずかばかり開口３０を小さくすることによって、留め具のねじ山８と噛合する各開口３０内にねじ山（図示略）、ねじの切られた開口３０（図示略）を設け、又はスプライン６８を設けることによって実現される。図２に示す１つの実施形態において、フランジ２６は各開口３０内に径方向に突出する一組のスプライン６８を有する。好ましくは、スプライン６８は、留め具のねじ山８の外径よりも小さい開口３０の内径を形成する径方向の伸張部を有する。スプライン６８は、留め具のねじ山８がスプライン６８、すなわちフランジ２６の開口３０と螺合するようになるため、留め具のねじ山８及び開口３０間の係合を強化する。スプライン６８は、ホルダー１０の鋳造の間に亜鉛から形成される。
【００１８】
各開口３０は、留め具４がアンカー１２から予め定められた距離離間して乾式壁１内に配置されるように、軸線１８から径方向に離間し、留め具４及び乾式壁１間の係合が付加的な引き抜き抵抗を提供する。また、留め具４は、ホルダー１０の回転と緩みとを防止するために所定の位置にホルダー１０を回転可能に係止する。好ましくは、開口３０の１つは、図４に示すように、軸線１８の略鉛直上方に配置され、増大した引き抜き強さがホルダー１０を乾式壁１から外方へ離れてアンカー１２周りに回動しないように作用する。なお、開口３０と乾式壁１とに螺合される留め具のねじ山８を備え、軸線１８の上方に配置される留め具４を用いてホルダー１０を取り付けることによって、ホルダー１０が耐えることができる剪断荷重は、ホルダー１０が留め具４なしで取り付けられた場合の約４．５ｋｇ〜約９．１ｋｇから、留め具４が上方の開口３０を通して挿入されると共に乾式壁１と係合している場合の約２２．７ｋｇ又はそれ以上にまで増大することが分かった。
【００１９】
好ましくは、少なくとも２つの開口３０が、図２及び４に示すようにフランジ２６内に備わっており、各開口３０は軸線１８から離間すると共に留め具４を受容可能であり、好ましくは、各開口３０は留め具のねじ山８を係合可能となっている。好ましくは、開口３０はフランジ２６周囲で均等に離間している。図２に示す実施形態において、一対の開口３０があり、各開口３０は、軸線１８の略反対側にあって、軸線１８周りに約１８０度と均等に離間している。好ましくは、アンカー１２をフランジ２６が乾式壁１と最初に接触するまで打ち込んだ後、ユーザーが、軸線１８の略鉛直上方に開口３０を配置するために、さらに１７９度以上ホルダー１０を回転させる必要がないように、開口３０は軸線１８周りで対称的である。また、ユーザーは軸線１８の鉛直下方に配置された下方の開口３０を通して留め具４を挿入することができ、それによって、ホルダー１０の全体的な積載量が、上方の開口３０に取り付けられた留め具４によって与えられる増大した積載量に加え、さらに約２．３ｋｇから約４．５ｋｇ又はそれ以上増大することが分かった。
【００２０】
好ましくは、ホルダー１０は、ホルダー１０が、ねじ回し又はねじ回しのビットを備えたドリルのような打ち込み工具を用いて取り付けることができるように、回転ドライバー（図示略）を受容するため、図１及び２に示されるフランジ２６にプラスねじの凹部６４のような凹部６４を有する。好ましくは、凹部６４は、乾式壁１を貫通してアンカー１２を打ち込むためにアンカー１２を回転させるため、トルクが回転ドライバーから伝達されるように、軸線１８と同軸であり、トルク伝達面６５を有している。ユーザーは、特に、回転ドライバーを用いてホルダー１０を最初に打ち込んだ後、最終的な配置をするために、保持部１４の脚２８を手動で回転させることによって乾式壁１を貫通してアンカー１２を打ち込んでもよい。
【００２１】
１つ又は複数の脚２８は、物を吊す場所を提供するようにフランジ２６から延びている。脚２８は、真っ直ぐな脚、Ｊ字型の脚、Ｃ字型の脚、自転車のフック、梯子のフック、工具のフック、コート若しくは帽子のフック、又は一対のＵ字型の脚２８等の多くの形状がある。各脚２８は、図３及び４に示すようにフランジ２６から軸方向外方へ延びているか、又は外側の乾式壁面４４に沿って横方へ延びていてもよい。
【００２２】
１つの実施形態における図２及び４を引き続き参照すると、一対の脚２８がＵ字型を形成している。Ｕ字型のホルダー１０が、柄が脚２８及び鋤の刃間に嵌るか又はほうきの頭部が脚２８の上に載るので、鋤又はほうきのような長い柄を有する物を保持するのに特に有用である。好ましくは、脚２８は、水平で床と平行となるように配置されているので、軸線１８に対して正反対に対向して対称的であると共に略共通の平面内に整列している。また、各脚２８は、軸線１８に対して互いに略平行であってフランジ２６に対して略垂直である遠位部７０を有してもよい。好ましくは、各脚２８は、物が脚２８の端部を超えて滑り落ち又は転倒してしまうことを防止するため、そして安全性の改善のため、遠位部７０、好ましくは脚２８の遠位端７４に拡張した足部７２を有する。
【００２３】
各脚２８間の間隔ＬＳは、一般のほうき又は鋤の柄、すなわち、約２．５４ｃｍから約３．８１ｃｍの間の直径を有する円筒形の柄が、各脚２８間に嵌るのに十分な大きさとされていることが望ましい。好ましくは、足部７２は、図３に示すように、足部７２間の間隔ＦＳが各脚２８間の間隔ＬＳよりも小さくなるように互いの脚部２８に対して内側に突出すると共に、図４に示すように、鋤のような工具が足部７２間で滑ることを防止するため脚２８の内側の縁にストッパを提供するように脚２８から上方へ突出している。図３及び４に示す１つの実施形態において、足部７２が安全性の改善のため外方へ面する丸い縁７６を有する。
【００２４】
好ましくは、足部７２間の間隔ＦＳと脚２８間の間隔ＬＳは、ねじ回しのビットが取り付けられる一般的なコードレスのドリルの先端部が足部７２間及び脚２８間に嵌るように十分大きく、ユーザーは、凹部６４と係合させるためにコードレスのドリルを使用し、乾式壁を貫通してアンカー１２を打ち込むためにホルダー１０を回転させてもよい。１つの実施形態において、一対の脚２８間の間隔ＬＳは、約３．８１ｃｍから約７．６２ｃｍの間であって、好ましくは約５．０８ｃｍである。１つの実施形態において、各足部７２は、約０．１６ｃｍと約０．６４ｃｍの間であって、好ましくは約０．３２ｃｍで、対応する脚２８から内側に突出しており、約５．０８ｃｍの間隔ＬＳを備えた一対の脚２８にとって、足部７２間の間隔ＦＳは、約３．８１ｃｍから約４．９２ｃｍ間であって、好ましくは約３．１８ｃｍである。好ましくは、各足部７２は、約０．６４ｃｍから約１．９１ｃｍの間であって、好ましくは約１．２７ｃｍだけ脚２８から上方へ延びている。１つの実施形態において、足部７２は、図４に示すように足部７２が脚２８から上方及び下方へ延びるように、脚２８の両側に略対称的である。
【００２５】
図１、３及び４を引き続き参照すると、各脚２８の遠位部７０の両側は、脚２８が水平の場合に平面７８に横架する物も水平となるように、脚２８の共通面に対して略平行である上方及び下方の平面７８を有する。また、脚２８は、各脚２８に形成された１つ又は複数の溝８０を有し、物を溝８０内に置くことができる。例えば、脚２８に置く薄い部分を有する物、すなわち、シャベル又は鋤の刃は、鋤が足２８に沿って回転し又は滑ることを防止するために薄い部分を溝内に置き、足２８から吊すことができる。１つの実施形態において、図１及び２に最もよく示されているように、各脚２８は、フランジ２６及び足部７２間にストッパ８２によって離間した２つの溝８０を有する。
【００２６】
好ましくは、ホルダー１０は、図２及び４に示すように、軸線１８周りで１８０度回転された場合に機能的に同一となるように対称的である。この対称性によって、一旦フランジ２６が外側の乾式壁面４４と係合し始めると、ユーザーはホルダー１０をわずかに、すなわち、水平に脚２８を整列させるまで付加的なわずか１７９度、回転し続けていればよいので、ユーザーは、乾式壁１内にアンカー１２を打ち込むことが可能となる。さらに、フランジ２６が図４に示すように１８０度対称的に離間し且つ各脚２８間に均等に配置された２つの開口３０を有する場合には、各脚２８が水平になるように配置されると、一方の開口３０が軸線１８の鉛直上方に略中心が来るように配置され、他方の開口３０が引き抜き抵抗及び積載量を増大させるためにフランジ２６を貫通し且つ乾式壁１内に留め具４を挿入するため、軸線１８の鉛直下方に略中心が来るように配置される。
【００２７】
１つの実施形態において、ホルダー１０は、軸線１８、脆い母材１の厚さＴよりも長い長さを備えたドリル部３４、及び脆い母材１に係合するため高いねじ山の近位部３２を備えたセルフドリリングのアンカー１２と、該アンカー１２の近接部２３に接続されたフランジ２６であって、該フランジ２６が近位部３２の最大の外径よりも実質的に幅広いフランジ２６と、物を保持するためにフランジ２６から延びる少なくとも１つ又は好ましくは２つの脚２８とを有する。
【００２８】
アンカー１２は、ＩＴＷビルデックスによる登録商標Ｅ−Ｚ  ＡＮＣＯＲで販売され、同一出願人による特許文献２にあるようなタイプのねじの切られていない長いドリル部３４を有してもよいが、図３及び４に示す形状を有することが好ましい。アンカー１２は特許文献２を参照すると留め具を受容しないので、アンカー１２がより小さい谷径を有することができ、さらに、乾式壁１及び間柱２内に打ち込むために必要とされる耐久性を提供するように、アンカー１２は中空よりはむしろ中実であってもよい。
【００２９】
図３及び４に示す好適な実施形態において、ホルダー１０は、軸線１８、乾式壁１の厚さＴよりも長いスクリュー状のドリル部３４、及び乾式壁に係合する高いねじ山の近位部３２を備えたセルフドリリング式のアンカー１２と、アンカー１２の近位部３２に同軸上に接続された乾式壁に接触するフランジ２６であって、該フランジ２６が近位部３２の最大の外径よりも実質的に幅広く、当該フランジ２６が回転ドライバーを受容する凹部６４、及びねじの切られた留め具４を受容可能であってそのねじ山８に係合可能である一対の開口３０を備えたフランジ２６と、物を保持するための一対のＵ字型の脚２８であって、該一対の脚２８のそれぞれがフランジ２６から足部７２を備えた遠位部７０まで延びている。
【００３０】
１つの実施形態における図３及び４を引き続き参照すると、セルフドリリングのアンカー１２は、乾式壁１に係合する外径及び高いねじ山の高さを備えたねじ山２０を有する高いねじ山の切られた近位端３２と、乾式壁１の厚さＴよりも長い、ねじの切られたドリル部３４と、近位部３２の外径よりも実質的に小さい外径及び近位部３２のねじ山の高さよりも実質的に小さいねじ山の高さを備えたねじ５０とを具備する。
【００３１】
好ましくは、近位部３２のねじ山２０の外径は、ねじ５０の谷径の約２倍である。１つの実施形態において、ねじ山２０の外径は約０．６４ｃｍから約１．９１ｃｍの間であって、好ましくは約１．２７ｃｍであり、近位部３２の谷径は約０．３２ｃｍから約０．９５ｃｍの間であって、好ましくは約０．６４ｃｍであり、ねじ５０のねじ山の高さは、約０．３２ｃｍから約１．５６ｃｍの間であって、好ましくは約０．６４ｃｍである。好ましくは、高いねじ山の近位部３２は、高いねじ山２０が、ホルダー１０の引き抜き抵抗及び積載量をさらに増加させるために内側の乾式壁面４２で紙４３と係合可能となるように、乾式壁の厚さＴよりもわずかばかり長い。１つの実施形態において、乾式壁を把持するねじ山２０は１つの連続的な略螺旋状のねじ山２１であり、アンカー１２を木材内に打ち込むのに十分な強度を有するように、ドリル部３４から近位端２２に向かって先細りになっている。図４に示す１つの実施形態において、アンカーは、フランジ２６よりも実質的に小さい張り出し部を近位端２２に有する。ユーザーがフランジ２６全体ではなく、小さい張り出し部を乾式壁１内に押し込みさえすればよいため、張り出し部及びフランジ２６が乾式壁１と接触し始めると、張り出し部によってユーザーは、より簡単にホルダー１０を回転させ続けることが可能となる。
【００３２】
乾式壁の厚さＴよりも長い長さを備えたスクリュー状のドリル部３４によって、アンカー１２は、近位部３２の高いねじ山２０が乾式壁１に係合し始める前に、乾式壁１を完全に貫通する穴を穿孔することが可能となる。また、ドリル部３４の実質的により小さいねじ山の高さ及び外径が過度のトルクを必要とすることなく間柱２内に打ち込まれるため、ユーザーがホルダー１０を取り付ける間に間柱２に到達した場合には、ドリル部３４のスクリュー状のより小さいねじ５０によって、アンカー１２は、間柱２内に把持すると共に穿孔させることが可能となる。１つの実施形態において、ドリル部３４のねじ５０の外径は、約０．１６ｃｍと約０．６４ｃｍの間であって、好ましくは約０．３２ｃｍであり、ねじ５０のねじ山の高さは、約０．０５ｃｍから約０．１８ｃｍの間であって、好ましくは約０．０９ｃｍである。
【００３３】
ねじ５０は、図４に示すように、略螺旋状のねじ山５１ａを有し、ドリル部３４及び近位部３２間が連続的なねじとなるように、近位部３２のねじ山２１として続く。１つの実施形態において、ドリル部３４は、ドリル部３４周りの追加の支持を提供し、アンカー１２と間柱２とのよりしっかりした係合を提供し、間柱２内に安定した打ち込みを提供するために、二重の螺旋で構成された２つの略螺旋状のねじ山５１ａ、５１ｂを有する。二重の螺旋の第２のねじ山５１ｂは、図４に示すように、ドリル端部２４に隣接したドリル部３４の一部のみであってもよく、或いは、間柱２を用いた改善した把持を提供するためドリル部３４のすべてに亘って形成されていてもよい。
【００３４】
アンカー１２は、ドリル端部２４にドリルチップ４６を有してもよい。図４に示す好適な実施形態において、ドリルチップ４６は、ドリルチップ４６が外側の乾式壁面４４と間柱２の表面とを案内して素早く係合するため軸線１８を向くように、略円錐形状であると共に軸線１８と同軸である。１つの実施形態において、ドリル部３４は、所望の大きさを有する穴を形成するために乾式壁１にリーマを用いて穴を広げるために、ドリル部３４から径方向外方へ突出している少なくとも１つ、好ましくは一対の羽部６０を有してもよい。羽部６０は、間柱２ではなく乾式壁１をリーマで穿孔するように、羽部６０が間柱２に当たると、壊れるように設計されている。
【００３５】
使用方法
ホルダー１０は、配置場所を壁にするか天井にするか選択する工程と、選択された位置で壁又は天井に対してドリルチップ４６を用いてホルダー１０を位置決めする工程と、アンカー１２が乾式壁１を穿孔するように時計回りにホルダー１０を回転させる工程と、フランジ２６が外側の乾式壁面４４と係合し始めるまでホルダー１０を回転し続ける工程と、好ましくは、脚２８を水平に整列し開口３０の１つが軸線１８の略鉛直上方に来るようにホルダー１０を手動で回転させる工程と、留め具４を軸線１８の上方にある開口３０内に挿入する工程と、留め具のねじ山８が開口３０及び乾式壁１と螺合するように留め具４を打ち込む工程と、留め具の頭部６がフランジ２６と当接するまで留め具４を乾式壁１に貫通させて打ち込む工程と、脚２８の１つ又は両方から物を保持する工程とを含む方法に用いられる。また、この方法は、他方の開口３０内に第２の留め具４を挿入する工程と、第２の留め具４のねじ山８が下方の開口３０及び乾式壁１に螺合するように第２の留め具４を打ち込む工程と、第２の留め具４の頭部６がフランジ２６と当接するまで第２の留め具４を乾式壁１に貫通させて打ち込む工程とを含んでいてもよい。
【００３６】
ユーザーは、外側のねじ山２０及びねじ５０の形状のために乾式壁１の裏側に配置される間柱２の配置を気にすることなく、壁又は天井の位置を選択することが可能であるので、アンカー１２を乾式壁１及び間柱２を通して打ち込むことが可能となる。また、この特徴のため、アンカー１２と間柱２との間がよりしっかりとした保持され、支持部材が乾式壁１よりも粉々になりにくいので、ユーザーは、アンカー１２が間柱２にぶつかるようにホルダー１０を意図的に配置することが可能となる。壁又は天井に沿って事実上いずれの場所にもホルダー１０を配置することができるので、ユーザーは、ホルダー１０を取り付け、ねじ回し又は他の回転ドライバーを用いて留め具４を取り付けるだけで、複数の物を保持することができるような空間のより効率的な使用のため壁又は天井に複数のホルダー１０を配置することが可能となる。
【００３７】
ホルダー１０を回転させる工程は、フランジ２６の凹部６４内に回転ドライバーを挿入すると共に回転ドライバーを用いてホルダー１０を打ち込むこと、及び／又は、脚２８を手動で回転させることによってなされ、そして、それがフランジ２６とアンカー１２を回転させる。ホルダー１０を略軸方向に整列させたまま打ち込みを制御することが実質的により簡単になるので、少なくとも最後の回転位置まで回転ドライバーを用いてホルダー１０を打ち込むことが好ましい。
【００３８】
本発明のホルダーは、セルフドリリング式のアンカーと、ホルダー全体の引き抜き抵抗及び積載量を増大させるために留め具を受容するためのアンカーの軸線から離間した開口との組合せを提供する。１つの実施形態において、開口は、留め具が留め具のねじ山及び乾式壁間の係合を増大させ、乾式壁が剥がれることなく乾式壁と係合するように、留め具を調整して停止させるための留め具のねじ山と係合する。また、このホルダーを用いることで、ユーザーは、支持部材が乾式壁の裏側に配置されている場合でも、壁又は天井の表面の事実上いずれ位置にも物を保持することが可能となる。
【００３９】
本発明の前述の記載によって当業者は、現在そのベストモードであると考えられている物を製作し、使用することが可能となると共に、当業者は、特定の例示的な実施形態及びその方法の変形、組合せ、及び均等物があることを理解し認識するであろう。従って、本発明は、前述の実施形態及び方法によって限定されるべきではなく、特許請求の範囲に記載されるような本発明の範囲及び精神内ですべての実施形態及び方法によって限定されるべきである。
【図面の簡単な説明】
【００４０】
【図１】物を保持するための脆い母材に取り付け可能なホルダーの斜視図である。
【図２】取り付けられた留め具の断面図で示されたホルダーの端面図である。
【図３】脆い母材と支持間柱内に取り付けられたホルダーの平面図である。
【図４】取り付けられた２つの留め具と共に示された、脆い母材内に取り付けられたホルダーの側面図である。
【図１】
2008512626.tif 000003
【図２】
2008512626.tif 000004
【図３】
2008512626.tif 000005
【図４】
2008512626.tif 000006
【国際調査報告】
2008512626.tif 000007
2008512626.tif 000008
2008512626.tif 000009